(57)【要約】【課題】取付が確実で、容易に設置を行い得るようにした水栓柱を提供する。【解決手段】角柱状の外筒の下方寄りに給水口を、上方寄りに吐水口を設けた水栓柱において、吐水口２４には口部にめねじ部を有するエルボ３０の該口部を、給水口２６には口部にストレートの円孔を有するエルボ３２の該口部をそれぞれ位置させ、かつ外筒２２内で両エルボ間を管路にて連結し、さらに建造物等の壁面部等に取付け得る頭部より首下を細くした引掛部材４０に掛止めし得る引掛孔２８を外筒２２に少なくとも２個所（２段）上下方向に配置し、かつ前記引掛孔２８は引掛部材４０の頭部付近が嵌り得る所定深さの差込口４４とこれに差込んだ引掛部材４０の頭部とその首下部付近を上方に移動させ得る係合孔４６と縦溝５０とを含み、しかも引掛部材４０の頭部の首下側の面が接する係合孔４６の内面には上方に向かうにつれて内側に傾斜した勾配部５２を形成した。【選択図】  図１
2004308159.tif 000002
【特許請求の範囲】
【請求項１】
角柱状の外筒の側面部の下方寄りに給水口を設けると共に上方寄りに吐水口を設けた水栓柱において、前記吐水口には口部にめねじ部を有するエルボの該口部を位置させると共に前記給水口には口部にストレートの円孔を有するエルボの該口部を位置させ、かつ外筒内で両エルボ間を管路にて連結し、さらに建造物等の壁面部等に取付け得る頭部より首下を細くした引掛部材に掛止めし得る引掛孔を外筒の他の側面部に少なくとも２個所上下方向に引掛部材に対応して配置し、かつ前記引掛孔は引掛部材の頭部と首下部の一部が嵌り得る所定深さの差込口と該差込口に差込んだ引掛部材の頭部を上方に移動させ得る係合孔と首下部を上方に移動させ得る縦溝とを含み、しかも引掛部材の頭部の首下側が接する係合孔の内面には上方に向かうにつれて側面部からの距離が遠くなる方向に傾斜した勾配部が形成されていることを特徴とする水栓柱。
【請求項２】
請求項１記載の水栓柱において、吐水口側のエルボには中空の結合部材を連結し、その口部に形成されためねじ部を吐水口に位置させるようにし、あるいは給水口側のエルボには中空の結合部材を連結し、その口部に形成されたストレートの円孔を給水口に位置させるようにした水栓柱。
【請求項３】
請求項１もしくは請求項２記載の水栓柱において、引掛孔を外筒の他の側面部に少なくとも１個所配置するようにした水栓柱。
【請求項４】
請求項１〜請求項３記載のいずれか１項に記載の水栓柱の設置方法であって、建造物等の壁面部に少なくとも上下方向２個所に所定間隔で請求項１記載の引掛部材を頭部が所定寸法横方向に突出するように取付け、あるいは外筒に１個所の引掛孔を設けたときには前記壁面部に１つの引掛部材を取付け、各引掛部材の頭部と首下部の一部を外筒の各差込口に差し込み、次いで水栓柱を下方に移動させて、引掛部材の頭部の首下側の面を係合孔の勾配部に当接させることにより水栓柱の側面部を前記壁面部に押し当て水栓柱を固定し、あるいは引掛孔を１個所設けるようにした水栓柱においては水栓柱の下端部は埋設して止めるか支持部材で止めるようにし、さらに給水口への給水パイプの接続は給水口のストレートの円孔に給水パイプを挿入すると共に接合面に接着剤を塗布して接着するようにした水栓柱の設置方法。
【発明の詳細な説明】
【０００１】
【発明の属する技術分野】
本発明は水栓柱に関するものであり、特に設置を容易になし得る水栓柱に関するものである。
【０００２】
【従来の技術】
【特許文献１】特開２００１−４０７１５号公報
従来より水栓柱は建造物の壁面等に沿わせて配置し、下端部は地中に埋設すると共に地上部は水栓柱の外形に即した  金属バンド等を用いて壁面等に支持固定して設置することが行われている。ところが、この支持固定作業は煩わしい上に人手を要するという問題点があったので、水栓柱の側面に掛け孔を設け壁面部のねじに引掛けて取り付けるようにした水栓柱が提案されている。特開２００１−４０７１５号公報の図１〜図３にはこのような水栓柱が示されている。
また、水栓柱は下端部を地中に埋設して立設されるので、給水口は地中に位置するようになるのが通例である。
【０００３】
【発明が解決しようとする課題】
ところが、前記特開２００１−４０７１５号公報記載の掛け孔１４はネジ１８の首下側の面との間に隙間ができるので、水栓柱１０ががたつくから結局金属バンド２を廃止することが困難であるという問題点があった。（掛け孔１４とネジ１８の首下側の面との間に隙間がなければ、ネジ１８は掛け孔１４に引掛けることができない。従って、その隙間が存在する以上、上記がたつきは避け難い。）
また、水栓柱の設置時には給水口は地下深く掘り下げた位置にあり、一方給水口への給水パイプの接続には水道用接続部品が使用されるが、下方の給水口には上方の吐水口と同様にめねじ部が形成されているので、水道用接続部品もねじ付きのものを使用せざるを得ない。従って、地中に掘り下げた溝状の狭い穴でねじ締め用の工具を使用することは非常に煩わしく疲労もし易く作業能率も上がらないという問題点があった。また、そのねじ込み部分から水洩れし易いという問題点があった。
本発明はこのような事情を背景としてなされたものであり、本発明の目的は、取付が確実で、容易に設置を行い得るようにした水栓柱およびその設置方法を提供することである。
【０００４】
【課題を解決するための手段】
このような目的を達成するためになされた本発明は、次のように構成される。
Ａ  角柱状の外筒の側面部の下方寄りに給水口を設けると共に上方寄りに吐水口を設けた水栓柱において、前記吐水口には口部にめねじ部を有するエルボの該口部を位置させると共に前記給水口には口部にストレートの円孔を有するエルボの該口部を位置させ、かつ外筒内で両エルボ間を管路にて連結し、さらに建造物等の壁面部等に取付け得る頭部より首下を細くした引掛部材に掛止めし得る引掛孔を外筒の他の側面部に少なくとも２個所上下方向に引掛部材に対応して配置し、かつ前記引掛孔は引掛部材の頭部と首下部の一部が嵌り得る所定深さの差込口と該差込口に差込んだ引掛部材の頭部を上方に移動させ得る係合孔と首下部を上方に移動させ得る縦溝とを含み、しかも引掛部材の頭部の首下側が接する係合孔の内面には上方に向かうにつれて側面部からの距離が遠くなる方向に傾斜した勾配部が形成されていることを特徴とする水栓柱。
Ｂ  Ａ項記載の水栓柱において、吐水口側のエルボには中空の結合部材を連結し、その口部に形成されためねじ部を吐水口に位置させるようにし、あるいは給水口側のエルボには中空の結合部材を連結し、その口部に形成されたストレートの円孔を給水口に位置させるようにした水栓柱。
Ｃ  Ａ項もしくはＢ項記載の水栓柱において、引掛孔を外筒の他の側面部に少なくとも１個所配置するようにした水栓柱。
Ｄ  Ａ項〜Ｃ項記載のいずれか１項に記載の水栓柱の設置方法であって、建造物等の壁面部に少なくとも上下方向２個所に所定間隔で請求項１記載の引掛部材を頭部が所定寸法横方向に突出するように取付け、あるいは外筒に１個所の引掛孔を設けたときには前記壁面部に１つの引掛部材を取付け、各引掛部材の頭部と首下部の一部を外筒の各差込口に差し込み、次いで水栓柱を下方に移動させて、引掛部材の頭部の首下側の面を係合孔の勾配部に当接させることにより水栓柱の側面部を前記壁面部に押し当て水栓柱を固定し、あるいは引掛孔を１個所設けるようにした水栓柱においては水栓柱の下端部は埋設して止めるか支持部材で止めるようにし、さらに給水口への給水パイプの接続は給水口のストレートの円孔に給水パイプを挿入すると共に接合面に接着剤を塗布して接着するようにした水栓柱の設置方法。
ここに、「引掛孔を外筒の他の側面部に少なくとも２個所上下方向に」とは、引掛孔は１個所１つに限らず１個所２以上を上段と下段に配置する場合も含むものであり、「引掛孔を外筒の他の側面部に少なくとも１個所配置する」とは引掛孔は１個所１つに限らず１個所２以上配置する場合も含むものである。
【０００５】
【発明の実施の形態】
以下本発明の実施例を記載した図面に基づいて、発明の実施の形態を詳細に説
【０００６】
図１、図２において、２０は水栓柱であり、四角柱状で中空の外筒２２を備え、その側面部には上端部寄りに吐水口２４が、下端部寄りには給水口２６が設けられ、反対側の側面部には上端部寄りと下端部寄りに引掛孔２８が形成されている。吐水口位置には口部にめねじ部を有するエルボ３０が外筒２２の内側から取り付けられ、めねじ部を有する口部が吐水口２４をなしている。給水口位置には口部にストレートの円孔を有するエルボ３２が外筒２２の内側から取り付けられ、ストレートの円孔を有する口部が給水口２６をなしている。そして、エルボ３０，３２の他の口部はパイプ３４で連結されている。３６は外筒２２のキャップである。
【０００７】
水栓柱２０は、図１に示すように引掛孔２８を壁面部３８に突出させた引掛部材４０に引掛けることにより壁面部３８に取付けられる。引掛部材４０は図３に示すように頭部より首下部分を細くしたボルト状あるいはビス状の部材であり、壁面部３８に穿設された穴に設けられた植設部材４２に打ち込みあるいはねじ込んで取り付けられるが、頭部の首下側の面は壁面部３８から所定寸法だけ突出するように調節されている。なお、引掛部材４０はねじ付きでなくてもよいが、ねじ付きの方が突出量の調節が容易である。
【０００８】
引掛孔２８は、図２に示すように引掛部材４０の頭部と首下部分の一部が嵌り得る所定深さの差込口４４と、この差込口４４に差込んだ引掛部材４０の頭部を上方に移動させ得る係合孔４６と、引掛部材４０の首下部分を上方に移動させ得る縦溝５０とを含んでになり、さらに引掛部材４０の頭部の首下側が接する係合孔４６の内面には上方に向かうにつれて側面部の外面からの距離が遠くなる方向に傾斜した勾配部５２が形成されている。なお、外筒２２には図２に示すように側面部の上下２個所に引掛孔２８が設けられているが、壁面部の２個所に植設される両引掛部材４０間の上下方向のピッチは両引掛孔２８間のピッチと同じとされる。
【０００９】
以上のように構成された実施例では、図２（ニ）に示すように外筒２２に形成された引掛孔２８の両差込口４４に、壁面部に固定された両引掛部材４０の頭部を挿入し、外筒２２を押し下げると同図に２点鎖線で示すように引掛部材４０の頭部は勾配部５２の斜面に沿って上方に相対的に移動し、外筒２２は引掛部材４０の頭部の首下側の面により勾配部５２の斜面を介して壁面部に押し付けられて固定される。このように壁面部に取付けられた引掛部材４０の頭部を引掛孔２８の差込口４４に差し込んだ状態で、外筒２２を押し下げるだけで外筒２２は壁面部に取り付けられるので、水栓柱２０の設置が容易である。特に上下２個所で固定されるので、取付が確実である。なお、引掛部材４０による勾配部５２に対する締め代は、ねじ付きの引掛部材４０を回転することによって壁面部に対する引掛部材４０の頭部の突出量を調節することにより行う。
例えば、取付けた際壁面部３８と水栓柱２０の上端寄り部分との間に隙間ができるときには、上側の引掛部材４０をねじ込み、水栓柱２０の下端寄り部分との間に隙間ができるときには、下側の引掛部材４０をねじ込み、逆に引掛部材４０の突出量が小さすぎて水栓柱の取り付けが困難な場合は引掛部材４０のねじ込みを戻し突出量を大きくすればよい。
外筒２２は給水口付近より下方は一定長さ土中に埋設されるが、上述のように引掛部材と引掛孔により取付が確実にされているので、埋設深さを小さくできる利点がある。図１（ロ）に示すように地表面５４から水栓柱２０の下端部までの長さ、すなわち埋設深さを小さくできる。従って、地下掘り下げの労力の軽減が可能である。
【００１０】
外筒２２の給水口２６に対する給水パイプの接続は、エルボ３２のストレートの内孔に給水パイプを挿入すると共にその際接合面には接着剤を塗布して行う。従来の給水パイプの接続は、ねじ付きの水道用接続部品を使用し、回転工具で締め付けて行っていたので、地中に掘り下げた狭い溝内での作業が非常にやり難く、煩わしかったが、本実施例では給水パイプを差し込むだけでよいので、作業が簡単容易で作業能率の向上を図り得る。また、従来のねじ付きの水道用接続部品を使用する場合は水洩れし易いという問題点があったが、本実施例によれば水洩れは生じない。なお、吐水口２４には例えば水栓等が螺着されて取り付けられる。
【００１１】
上記実施例では、引掛部材と引掛孔は上下に１個所づつ設けたが、上下各段に１個所に２以上設けるようにしてもよい。また、上下３段以上設けるようすることも可能である。前記実施例では、口部にめねじ部を有するエルボの該口部を吐水口とし、口部にストレートの円孔を有するエルボの該口部を給水口としたが、これに代えて、口部にめねじ部を有する継手ソケット（結合部材）を前者のエルボに接続してその口部を吐水口とし、口部にストレートの円孔を有する継手ソケット（結合部材）を後者のエルボに接続してその口部を給水口とすることも可能である。
以上本発明のいくつかの実施例について説明したが、本発明はこのような実施例に何等限定されるものではなく、本発明の要旨を逸脱しない範囲において、種々なる態様で実施し得ることはもちろんである。
【００１２】
【発明の効果】
本発明は前述のように構成されているので、、次に記載する効果を奏する。
水栓柱の壁面部等に対する取付は、壁面部に設けた引掛部材に対し外筒の側面部に設けた引掛孔を引掛けるだけでよいので、作業が簡単容易である。また、引掛孔には引掛部材の頭部の首下側部分に接する勾配部が形成されているので、外筒を押し下げるだけで外筒を壁面部に押し付ける方向の締め代を生じ、水栓柱の設置が確実で容易である。さらに、壁面部への水栓柱の設置（取付け）が確実であるから水栓柱下方の土中への埋設深さを小さくし得る利点がある。さらにまた、給水口への給水パイプの接続は、エルボのストレートの円孔に給水パイプを挿入すると共に接合面に接着剤を塗布するだけでよいので、作業が簡単容易であり、かつ水洩れがないという利点がある。
【図面の簡単な説明】
【図１】（イ）は本発明の実施例の斜視図、（ロ）はその縦断面図である。
【図２】（イ）は同実施例に使用する部品の背面図、（ロ）は同図におけるＢ−Ｂ断面図、（ハ）は図１におけるＡ部の一部を省略した拡大図、（ニ）は同実施例設置時の作用説明図である。
【図３】本発明の実施例に使用する他の部品の取付け状態を示す説明図である。
【符号の説明】
２０  水栓柱
２２  外筒
２４  吐水口
２６  給水口
２８  引掛孔
３０  エルボ（めねじ部付き）
３２  エルボ（ストレートの円孔付き）
３８  壁面部
４０  引掛部材
４４  差込口
４６  係合孔
５０  縦溝
５２  勾配部
【図１】
2004308159.tif 000003
【図２】
2004308159.tif 000004
【図３】
2004308159.tif 000005